(57)【要約】  ハウジング（５０４）、及びハウジング内に配置される少なくとも一つの端子要素（２００）を備えた圧縮コネクタであって、各端子要素（２００）が少なくとも第一及び第二のカンチレバー部（２０２、２０４）を備え、端子要素（２００）が圧縮されると、負荷が前記二つのカンチレバー部に分散されるように各カンチレバー部とハウジング（５０４）が相互作用する、圧縮コネクタが提供される。
2008522364.tif 000002
【特許請求の範囲】
【請求項１】
ハウジング、及び
ハウジング内に配置される少なくとも一つの端子要素
を備えた圧縮コネクタであって、
各端子要素が、少なくとも第一及び第二のカンチレバー部を含み、端子要素が圧縮される時、二つのカンチレバー部に負荷が分散されるように、各カンチレバー部とハウジングとが相互作用する、圧縮コネクタ。
【請求項２】
端子要素の接触部が、第一のカンチレバー部と第二のカンチレバー部の間に配置される、請求項１に記載のコネクタ。
【請求項３】
端子要素が、第一のカンチレバー部と第二のカンチレバー部の間にギャップが画定されるような形状を有する、請求項１又は２に記載のコネクタ。
【請求項４】
第一及び第二のカンチレバー部が、ハウジング内に形成された別々のキャビティ内に配置される、請求項１又は３に記載のコネクタ。
【請求項５】
第一及び第二のカンチレバー部それぞれの各支持要素が、対応するキャビティの壁部を含む、請求項３又は４に記載のコネクタ。
【請求項６】
端子要素が更に、第一のカンチレバー部と第二のカンチレバー部の間に配置される結合部を有し、結合部が端子要素の圧縮力の方向とほぼ平行である、請求項１ないし５のいずれか一項に記載のコネクタ。
【請求項７】
第一のカンチレバー部が、略、Ｕ字形である、請求項１ないし６のいずれか一項に記載のコネクタ。
【請求項８】
接触部が、略、Ｕ字形である、請求項２に記載のコネクタ。
【請求項９】
端子要素が更に半田付け用の端部を含む、請求項１ないし８のいずれか一項に記載のコネクタ。
【請求項１０】
複数の端子要素を備える、請求項１ないし９のいずれか一項に記載のコネクタ。
【請求項１１】
複数の端子要素がハウジング内に並べて配置される、請求項１０に記載のコネクタ。
【請求項１２】
各端子要素の第一及び第二のカンチレバー部が、ハウジング内に形成された対応する個別のキャビティ内に配置される、請求項１０又は１１に記載のコネクタ。
【発明の詳細な説明】
【発明の開示】
【０００１】
発明の分野
本発明は、広く圧縮コネクタ一般に関するものであり、例示的実施形態においては、特に微細なピッチの圧縮コネクタに関する。
【０００２】
背景
図１Ａ−１Ｃの端子例１００、１０２、１０３に示すように、従来技術により設計された圧縮コネクタの端子は、単一の屈曲ビームを有している。コネクタ端子に負荷が掛かると、ビームが曲がり、反発力を生成する。生成された反発力の大きさは、端子の形状及び材料によって決まる。
微細なピッチは端子の利用可能な幅を制約し、よって圧縮力を制限するので、コネクタの端子の設計はピッチが細かくなるほど難しい。要求される最適な圧縮力は、達成が困難であるか、又は高価な材料や複雑な部品構成等の高いコストをかけなければ達成できない。
また、端子の設計は、その製造を確実に可能にするために、関連する他の部材及びプロセスを考慮しなければならない。適合するハウジングが製造できなければ、端子の設計が良好であっても機能できない。
【０００３】
概要
本発明の第一の態様によれば、ハウジング、及びハウジング内に配置される少なくとも一つの端子要素を備え、各端子要素が少なくとも第一及び第二のカンチレバー部を有し、端子要素が圧縮されると、負荷が前記二つのカンチレバー部に分散されるように各カンチレバー部とハウジングとが相互作用する、圧縮コネクタが提供される。
端子要素の接触部は、第一カンチレバー部と第二のカンチレバー部の間に配置される。
端子要素は、第一のカンチレバー部と第二のカンチレバー部の間にギャップが形成されるような形状に形成される。
【０００４】
第一及び第二のカンチレバー部は、ハウジング内に形成された別々のキャビティに配置される。
第一及び第二のカンチレバー部それぞれの支持要素は、対応するキャビティの壁部を含むことができる。
【０００５】
端子要素は、更に、第一カンチレバー部と第二のカンチレバー部の間に配置された結合部を含み、この結合部は、端子要素の圧縮力の方向とほぼ平行である。
第一のカンチレバー部は、略、Ｕ字形である。
接触部も、略、Ｕ字形である。
【０００６】
端子要素は、更に、半田付け部を含むことができる。
コネクタは複数の端子要素を備えることができる。
【０００７】
複数の端子は、ハウジング内に並べて配置することができる。
各端子要素の第一及び第二のカンチレバー部は、ハウジング内に形成された対応する個別のキャビティにそれぞれ配置することができる。
【０００８】
本発明の実施形態は、添付図面を参照する例示を目的とした以下の説明から、当業者に理解し易く、明瞭なものとなる。
【実施例】
【０００９】
詳細な説明
図２Ａは、圧縮コネクタの端子２００の形状の一実施例を示す。端子２００は、第一のビーム部２０２及び第二のビーム部２０４から構成される二つのカンチレバー部を有する。端子２００の形状は、逆方向（接触方向に対し）に屈曲したビーム部２０４を有しており、ビーム部２０２とビーム部２０４の間にはギャップ２０６が維持される。このギャップ２０６の存在により、カンチレバー部を有さない端子２００が形成できるので、端子２００の製造が容易になる。つまり、本実施例のビーム部２０４は、形成ツールの邪魔になる。
端子２００は更に、ビーム部２０２とビーム部２０４の間に配置された、第三のビーム部２０８と接触用屈曲部２１０とから構成される結合部を有する。ビーム部２０８は、接触用屈曲部２１０に印加される圧縮力の方向とほぼ平行に保持される。端子２００は半田付け端２１２も有している。
端子２００は、第一のビーム部２０２と半田付け端２１２の間に配置された係留用の返し２１４を有している。図２Ｂは、間隔を空けて配置された係留用の返し２１４を備える端子２００の一実施例を示す。本実施例の端子２００は、ベリリウム銅又は燐青銅、及び／又は金メッキ材等の導電材料から作成されている。他の導電材料を使用して異なる実施形態の端子を製造することができる。
【００１０】
図３は、端子２００の一実施例に使用される、成形された絶縁ハウジング３００の断面図を示す。本実施例では、ハウジング３００は、一般的な工業用プラスチック材、例えば、ポリフェニレンサルファイド（ＰＰＳ）、及び液晶ポリマー（ＬＣＰ）から形成される。他の絶縁材料を使用して異なる実施形態のハウジングを製造することもできる。
図３は、ビーム部２０４とビーム部２０２をそれぞれ収納する二つの異なるキャビティ３０２及び３０４を示す（図２と比較されたい）。キャビティ３０４の側壁にはスロット／窪み３０６が設けられており、係留用返し２１４が各スロット３０６に押し込まれる。スロット３０６に勘合すると、係留様の返し２１４はスロット３０６の壁に更に押し付けられて、端子２００をハウジング３００に固定する。
【００１１】
図４Ａは、端子４０４の接触用屈曲部４０２に負荷が加えられていない状態の、組み立てられた圧縮コネクタ４００の一実施例を示す。端子４０４はハウジング４０６内に配置されている。端子４０４には負荷が加わっていないので、ビーム部４１２及び４１４は静止状態にあり、即ち端子４０４は変形していない。
図４Ｂは、端子４０４の接触用屈曲部４０２に負荷が印加された状態の圧縮コネクタ４００の実施例を示す。接触用屈曲部４０２に垂直にＰＣＢ４１０を押すことによって、接触用屈曲部４０２に負荷が印加される。スクリュー、ラッチ、又はその他の締付け手段によってＰＣＢ４１０を圧縮コネクタ４００に固定することにより、負荷は、略、一定に維持される。本実施例において、負荷が印加されると、ビーム部４１２及び４１４は共にハウジング４０６に押し付けられることによってハウジング４０６と相互作用し、反発力を生成する。従って、負荷はビーム部４１２とビーム部４１４とに分配され、各ビーム部は、ハウジング４０６上の支点４１５、４１３を中心にカンチレバーとして機能する。
本実施例における端子４０４は、単一の屈曲ビームを用いる場合と比較して、大きな圧縮力を生成することができ、且つ端子４０４が過度に圧迫されること、及び恒久的に変形することを避けることができる。本圧縮コネクタ４００の特徴は、負荷が接触用屈曲部４０２に印加された時、ビーム部４１２及びビーム部４１４が、ハウジング４０６に押し付けられることによりハウジング４０６に対してカンチレバーとして作用することである。端子４０４とハウジング４０６とは相互に補完し合い、本実施例に示すような、例えば微細なピッチを有するコネクタを、低コストで実現する。
【００１２】
図５は、ハウジング５０４内に並べて配置された複数の端子５０２の部分切開斜視図を示す。本実施例では、ハウジング５０４内に伸びる二列のキャビティ、例えば５０６、５０８が形成されている。各端子のキャビティ、例えば５０６、５０８にそれぞれ収容される二つのビーム部、例えば、５１２、５１４は、端子に負荷が加えられると、ハウジングに対して押し付けられることにより、ハウジング５０４に対してカンチレバー部として作用する。
本実施形態では、二つのビーム部、例えば５１２、５１４の間に配置された各端子、例えば５０２のビーム部５１０から構成される結合部は僅かに傾斜しているが、ビーム部、例えば５１０は、端子５０２に加わる圧縮力とほぼ平行に維持される（図４Ａ、４Ｂと比較されたい）。
【００１３】
当業者であれば、特定の実施形態に示した本発明に対し、広義に説明した本発明の概念又は範囲から逸脱することなく、多数の変更及び／又は変形が可能であることが分かるであろう。従って、本実施形態例は、あらゆる意味で例示的なものであり、限定的なものでない。
例えば、本発明の端子及び／又はハウジングの形状は、実施例に示すものに限定されない。そうではなく、異なる実施形態において、異なる形状のカンチレバー部、及び／又は接触部、及び／又は結合部、及び／又は半田付け部、及び／又はキャビティを含めて、他の形状を使用することができる。
【００１４】
更に、異なる実施形態では、１つのハウジングに対する端子の数が異なっていてよい。
【図面の簡単な説明】
【００１５】
【図１】Ａ−Ｃは、単一の屈曲ビームを有する既存の圧縮コネクタの代表的な実施例を示す。
【図２】Ａ及びＢのそれぞれは、端子の一実施例の概略側面図及び概略斜視図である。
【図３】端子の一実施例に使用されるハウジングの断面図である。
【図４】Ａ及びＢはそれぞれ、負荷が印加される前と後の圧縮コネクタの一実施例の断面図である。
【図５】一実施例として、ハウジング内に並べて配置された複数の端子の一部を示す。
【図１】
2008522364.tif 000003
【図２】
2008522364.tif 000004
【図３】
2008522364.tif 000005
【図４】
2008522364.tif 000006
【図５】
2008522364.tif 000007
【国際調査報告】
2008522364.tif 000008
2008522364.tif 000009
2008522364.tif 000010
2008522364.tif 000011
2008522364.tif 000012